(57)【要約】【課題】後列のフロート式スチームトラップの弁口を流下する復水の温度を充分に低下させて再蒸発を確実に防止する。【解決手段】前列のフロート式スチームトラップ１と後列のフロート式スチームトラップ２とをＴ型継手３を介して直列に配列する。前列のフロート式スチームトラップ１に熱発電素子１０を固定して取り付ける。Ｔ型継手３の分岐口３２放熱部としての放熱管４１の一端を接続する。後列のフロート式スチームトラップ２の入口２４に放熱管４１の他端を接続する。後列のフロート式スチームトラップ２に電動機２１を固定して取り付け、電動機２１に放熱管４１を冷却する送風ファン２２を連結する。電動機２１は、熱発電素子１０の起電力で送風ファン２２を駆動する。【選択図】            図１
2004245337.tif 000002
【特許請求の範囲】
【請求項１】
フロート式スチームトラップを複数台直列に配置して、前列のフロート式スチームトラップの出口を後列のフロート式スチームトラップの入口と接続したものにおいて、前列のフロート式スチームトラップの出口と後列のフロート式スチームトラップの入口との間に放熱部を設け、放熱部を冷却する送風ファンを設けたことを特徴とするフロート式スチームトラップ。
【発明の詳細な説明】
【０００１】
【発明の属する技術分野】
本発明は、気体と液体の比重差を利用して、弁室内に収容したフロートで直接にあるいは弁部材を駆動して弁口を開閉することにより、蒸気配管系に発生する復水を自動的に排出するフロート式スチームトラップにする。フロート式スチームトラップの基本構成は、弁ケーシングで入口と弁室と出口を形成し、弁室と出口を連通する弁口を弁室下部に形成し、弁室内に収容したフロートで直接にあるいは弁部材を駆動して弁口を開閉するものである。このフロート式スチームトラップにおいては、排出復水が弁口で再蒸発するために弁口を高速に流下し、弁口内壁にエロージョンを生じたり、流体中に溶解している金属イオンが弁口内壁に突き刺さって次第に堆積したりする問題点があった。
【０００２】
【従来の技術】
【特許文献１】
特開２００２−３７２１９０
この問題点を解決するために、従来は特開２００２−３７２１９０に開示の技術が用いられた。これは、フロート式スチームトラップを複数台直列に配置して、前列のフロート式スチームトラップの出口を後列のフロート式スチームトラップの入口と接続したものである。
【０００３】
【発明が解決しようとする課題】
上記従来のものは、前列のフロート式スチームトラップの弁口の圧力が後列のフロート式スチームトラップの内圧とほぼ同圧に保たれて急激な圧力低下を生じないので、前列のフロート式スチームトラップの弁口を流下する復水の再蒸発を低減でき、また、後列のフロート式スチームトラップの弁口には後列のフロート式スチームトラップからの放熱によって温度低下した復水が流下するので、後列のフロート式スチームトラップの弁口を流下する復水の再蒸発を低減できるものである。しかしながら、後列のフロート式スチームトラップからの放熱には限りがあるために、後列のフロート式スチームトラップの弁口を流下する復水の温度低下が不充分で改良の余地を残すものであった。
【０００４】
従って、本発明の技術的課題は、後列のフロート式スチームトラップの弁口を流下する復水の温度を充分に低下させて再蒸発を確実に防止できるフロート式スチームトラップを提供することである。
【０００５】
【課題を解決するための手段】
上記の技術的課題を解決するために講じた本発明の技術的手段は、フロート式スチームトラップを複数台直列に配置して、前列のフロート式スチームトラップの出口を後列のフロート式スチームトラップの入口と接続したものにおいて、前列のフロート式スチームトラップの出口と後列のフロート式スチームトラップの入口との間に放熱部を設け、放熱部を冷却する送風ファンを設けたことを特徴とするフロート式スチームトラップにある。
【０００６】
【発明の実施の形態】
本発明は、前列のフロート式スチームトラップの出口と後列のフロート式スチームトラップの入口との間に放熱部を設け、放熱部を冷却する送風ファンを設けたものであるので、後列のフロート式スチームトラップの弁口には放熱部からの放熱と送風ファンによる冷却及び後列のフロート式スチームトラップからの放熱によって充分に温度低下した復水が流下する。そのため、後列のフロート式スチームトラップの弁口を流下する復水の再蒸発を確実に防止できる。
【０００７】
【実施例】
上記の技術的手段の具体例を示す実施例を説明する（図１参照）。前列のフロート式スチームトラップ１と後列のフロート式スチームトラップ２とをＴ型継手３を介して直列に配列する。前列のフロート式スチームトラップ１は、入口４と出口５を有する本体６に蓋部材７を締結して内部に弁室を形成し、弁室内に収容したフロートで弁室と出口５を連通する弁口を開閉するものである。本体６は、配管接続用の入口フランジ８と出口フランジ９を有する。蓋部材７に熱発電素子１０を固定して取り付ける。熱発電素子１０は、フロート式スチームトラップ１側の高温と反対側の大気の低温との温度差によって起電力を発生する。
【０００８】
Ｔ型継手３は、一軸上の流入口３０及び流出口３１と、流入口３０から直角方向の分岐口３２とを有し、流入口３０と流出口３１に配管接続用の入口フランジ３３と出口フランジ３４を有する。出口フランジ３４は出口３１を塞ぐフランジで形成する。入口フランジ３３を前列のフロート式スチームトラップ１の出口フランジ９に接続する。分岐口３２に圧着継手４０を介して放熱部としての放熱管４１の一端を接続する。放熱管４１は、放熱を促進させるために一部をコイル状に形成する。
【０００９】
後列のフロート式スチームトラップ２は、出口２５を有する本体２６に入口２４を有する蓋部材２７を締結して内部に弁室を形成し、弁室内に収容したフロートで弁室と出口を連通する弁口を開閉するものである。本体２６は、配管接続用の入口フランジ２８と出口フランジ２９を有する。入口フランジ２８をＴ型継手３の出口フランジ３４に接続する。入口２４に圧着継手４２を介して放熱管４１の他端を接続する。蓋部材２７に電動機２１を固定して取り付け、電動機２１に放熱管４１を冷却する送風ファン２２を連結する。電動機２１は、熱発電素子１０の起電力で送風ファン２２を駆動する。
【００１０】
次に本実施例のフロート式スチームトラップの作動を説明する。復水と蒸気が前列のフロート式スチームトラップ１の入口４から弁室に流入し、復水が下部に蒸気が上部に分離して溜まる。フロートは液面が上がると浮力が大きくなるので、浮上して弁口を開き、弁室内の復水を弁口から出口５へ排出する。復水の排出によって弁室内の液面が下がると、それと共にフロートが降下して弁口を閉じる。出口５へ排出された復水はＴ型継手３から放熱管４１を通して後列のフロート式スチームトラップ２の入口２４から弁室に流入し、復水が下部に蒸気が上部に分離して溜まる。フロートは液面が上がると浮力が大きくなるので、浮上して弁口を開き、弁室内の復水を弁口から出口２５へ排出する。復水の排出によって弁室内の液面が下がると、それと共にフロートが降下して弁口を閉じる。
【００１１】
前列のフロート式スチームトラップ１の弁口は後列のフロート式スチームトラップ２の内圧とほぼ同圧であり急激な圧力低下を生じないので、前列のフロート式スチームトラップ１の弁口を流下する復水の再蒸発を低減できる。また、後列のフロート式スチームトラップ２の弁口には放熱管４１からの放熱と送風ファン２２による冷却及び後列のフロート式スチームトラップ２からの放熱によって充分に温度低下した復水が流下するので、後列のフロート式スチームトラップ２の弁口を流下する復水の再蒸発を低減できる。
【００１２】
【発明の効果】
本発明は下記の特有の効果を生じる。
上記のように本発明によれば、前列のフロート式スチームトラップの出口と後列のフロート式スチームトラップの入口との間に放熱部を設け、放熱部を冷却する送風ファンを設けることにより、後列のフロート式スチームトラップの弁口を流下する復水の再蒸発を確実に防止でき、弁口内壁のエロージョンや金属イオンの堆積を防止できるという優れた効果を生じる。
【図面の簡単な説明】
【図１】本発明の実施例のフロート式スチームトラップの断面図である。
【符号の説明】
１    前列のフロート式スチームトラップ
２    後列のフロート式スチームトラップ
３    Ｔ型継手
４，２４    入口
５，２５    出口
６，２６    本体
７，２７    蓋部材
１０    熱発電素子
２１    電動機
２２    送風ファン
４１    放熱管
【図１】
2004245337.tif 000003